(57)【要約】【課題】材料歩留まりを向上させることが可能なワッシャ及びワッシャの製造方法を提供する。【解決手段】円弧状に形成されると共に、一端部から円弧方向に凸となる第一嵌合部３０が形成された第一ワッシャ片１１と、一端部から円弧方向に凹となり、第一嵌合部３０と嵌合される第二嵌合部４０が形成された第四ワッシャ片１４と、を具備し、第一嵌合部３０及び前記第二嵌合部４０は、円弧方向への互いの近接離間が規制された状態に嵌合され、第一嵌合部３０及び前記第二嵌合部４０のうち一方の嵌合部は、当該一方の嵌合部の側面が他方の嵌合部の側面に押し込まれた状態に形成されたかしめ部３６を具備し、かしめ部３６によって他方の嵌合部と固定される。【選択図】図３
2018105423.tif 000002
【特許請求の範囲】
【請求項１】
円弧状に形成されると共に、一端部から円弧方向に凸となる第一の嵌合部が形成された第一の部材と、
円弧状に形成されると共に、一端部から前記円弧方向に凹となり、前記第一の嵌合部と嵌合される第二の嵌合部が形成された第二の部材と、を具備し、
前記第一の嵌合部及び前記第二の嵌合部は、前記円弧方向への互いの近接離間が規制された状態に嵌合され、
前記第一の嵌合部及び前記第二の嵌合部のうち一方の嵌合部は、当該一方の嵌合部の側面が他方の嵌合部の側面に押し込まれた状態に形成された固定部を具備し、当該固定部によって当該他方の嵌合部と固定される、
ワッシャ。
【請求項２】
前記第一の嵌合部は、
前記第一の部材の一端部から基端部を介して配置された先端部を有し、
前記固定部は、前記先端部の側面全体に亘って形成された、
請求項１に記載のワッシャ。
【請求項３】
前記第一の嵌合部の前記先端部は、円形状に形成された、
請求項２に記載のワッシャ。
【請求項４】
前記第一の嵌合部の前記先端部には、内側に凹んだ油溜まり部が形成された、
請求項２又は請求項３に記載のワッシャ。
【請求項５】
板状の素材を準備する準備工程と、
前記素材から、円弧状に形成されると共に一端部から円弧方向に凸となる第一の嵌合部が形成された第一の部材と、円弧状に形成されると共に一端部から前記円弧方向に凹となる第二の嵌合部が形成された第二の部材と、を抜き取る抜き取り工程と、
前記第一の部材の前記第一の嵌合部と前記第二の部材の前記第二の嵌合部とを嵌合させる嵌合工程と、
前記第一の嵌合部及び前記第二の嵌合部のうち一方の嵌合部の側面を、他方の嵌合部の側面に押し込んでかしめ部を形成するかしめ工程と、を具備する、
ワッシャの製造方法。
【請求項６】
前記第一の嵌合部は、
前記第一の部材の一端部から基端部を介して配置された先端部を有し、
前記かしめ工程において、
前記かしめ部を、前記先端部の側面全体に亘って形成する、
請求項５に記載のワッシャの製造方法。
【請求項７】
前記かしめ工程において、
前記第一の嵌合部の前記先端部がプレスされることにより、前記かしめ部と共に内側に凹んだ油溜まり部を形成する、
請求項６に記載のワッシャの製造方法。
【発明の詳細な説明】
【技術分野】
【０００１】
本発明は、ワッシャ及びワッシャの製造方法の技術に関する。
【背景技術】
【０００２】
従来、ワッシャ及びワッシャの製造方法の技術は公知となっている。また、前記ワッシャとして、例えば円環状に形成されたものが公知となっている。例えば、特許文献１に記載の如くである。
【０００３】
このような形状のワッシャは、板状の素材を所定の金型で打ち抜く（プレス加工を施す）ことで製造することができる。
【０００４】
図１２には、一枚の板状の素材Ｍを金型で打ち抜いて、円環状のワッシャ（ワッシャ１００）を複数製造した様子を示している。図１２に示すように、金型に対して素材Ｍを一定の方向に移動させながら、素材Ｍを何度も打ち抜くことで、複数のワッシャ１００を製造することができる。しかしながら、隣り合うワッシャ１００の間や当該ワッシャ１００の内側には比較的大きな隙間があるため、当該部分（隙間）の材料は無駄になってしまい、材料歩留まりが悪い点で改善の余地があった。
【先行技術文献】
【特許文献】
【０００５】
【特許文献１】特開平１１−３２５１０８号公報
【発明の概要】
【発明が解決しようとする課題】
【０００６】
本発明は以上の如き状況に鑑みてなされたものであり、その解決しようとする課題は、材料歩留まりを向上させることが可能なワッシャ及びワッシャの製造方法を提供することである。
【課題を解決するための手段】
【０００７】
本発明の解決しようとする課題は以上の如くであり、次にこの課題を解決するための手段を説明する。
【０００８】
即ち、請求項１においては、円弧状に形成されると共に、一端部から円弧方向に凸となる第一の嵌合部が形成された第一の部材と、円弧状に形成されると共に、一端部から前記円弧方向に凹となり、前記第一の嵌合部と嵌合される第二の嵌合部が形成された第二の部材と、を具備し、前記第一の嵌合部及び前記第二の嵌合部は、前記円弧方向への互いの近接離間が規制された状態に嵌合され、前記第一の嵌合部及び前記第二の嵌合部のうち一方の嵌合部は、当該一方の嵌合部の側面が他方の嵌合部の側面に押し込まれた状態に形成された固定部を具備し、当該固定部によって当該他方の嵌合部と固定されるものである。
【０００９】
請求項２においては、前記第一の嵌合部は、前記第一の部材の一端部から基端部を介して配置された先端部を有し、前記固定部は、前記先端部の側面全体に亘って形成されたものである。
【００１０】
請求項３においては、前記第一の嵌合部の前記先端部は、円形状に形成されたものである。
【００１１】
請求項４においては、前記第一の嵌合部の前記先端部には、内側に凹んだ油溜まり部が形成されたものである。
【００１２】
請求項５においては、板状の素材を準備する準備工程と、前記素材から、円弧状に形成されると共に一端部から円弧方向に凸となる第一の嵌合部が形成された第一の部材と、円弧状に形成されると共に一端部から前記円弧方向に凹となる第二の嵌合部が形成された第二の部材と、を抜き取る抜き取り工程と、前記第一の部材の前記第一の嵌合部と前記第二の部材の前記第二の嵌合部とを嵌合させる嵌合工程と、前記第一の嵌合部及び前記第二の嵌合部のうち一方の嵌合部の側面を、他方の嵌合部の側面に押し込んでかしめ部を形成するかしめ工程と、を具備するものである。
【００１３】
請求項６においては、前記第一の嵌合部は、前記第一の部材の一端部から基端部を介して配置された先端部を有し、前記かしめ工程において、前記かしめ部を、前記先端部の側面全体に亘って形成するものである。
【００１４】
請求項７においては、前記かしめ工程において、前記第一の嵌合部の前記先端部がプレスされることにより、前記かしめ部と共に内側に凹んだ油溜まり部を形成するものである。
【発明の効果】
【００１５】
本発明の効果として、以下に示すような効果を奏する。
【００１６】
請求項１においては、材料歩留まりを向上させることができる。
【００１７】
請求項２においては、第一の部材と第二の部材とを強固に固定することができる。
【００１８】
請求項３においては、第一の部材と第二の部材とを強固に固定することができる。
【００１９】
請求項４においては、潤滑油を溜めておくことができる。
【００２０】
請求項５においては、材料歩留まりを向上させることができる。
【００２１】
請求項６においては、第一の部材と第二の部材とを強固に固定することができる。
【００２２】
請求項７においては、潤滑油を溜めておくことができる。
【図面の簡単な説明】
【００２３】
【図１】本発明の第一実施形態に係るワッシャの構成を示した正面図。
【図２】ワッシャ片の構成を示した正面図。
【図３】（ａ）図１のＡ部拡大図。（ｂ）Ｂ−Ｂ断面図。
【図４】ワッシャの製造方法を示したフローチャート。
【図５】（ａ）抜き取り工程でワッシャが抜き取られた様子を示した正面図。（ｂ）複数のワッシャが抜き取られた素材を示した模式図。
【図６】（ａ）嵌合工程で第一の嵌合部と第二の嵌合部とが嵌合される様子を示した斜視図。（ｂ）嵌合工程で第一の嵌合部と第二の嵌合部とが嵌合された様子を示した斜視図。
【図７】（ａ）かしめ工程でかしめ部が形成される様子を示した模式図。（ｂ）図７（ａ）の続きを示した図。
【図８】図７（ｂ）の続きを示した図。
【図９】かしめ工程で第一の嵌合部の先端部にポンチが押圧される様子を示した模式図。
【図１０】（ａ）第二実施形態に係るワッシャの構成の一部を示した正面図。（ｂ）第三実施形態に係るワッシャの構成の一部を示した正面図。
【図１１】第四実施形態に係るワッシャの構成の一部を示した正面図。
【図１２】複数の従来のワッシャが抜き取られた様子を示した模式図。
【発明を実施するための形態】
【００２４】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００２５】
以下では、図１から図３までを用いて、本発明の第一実施形態に係るワッシャ１の構成について説明する。
【００２６】
ワッシャ１は、適宜荷重を受けるための部材である。ワッシャ１は、正面視円環状に形成される。ワッシャ１は、適宜の部材（例えば、軸部材を支持するハウジング等）に設けられる。ワッシャ１は荷重（例えば、前記軸部材からの軸方向の荷重）を受けることができる。ワッシャ１は、複数（本実施形態においては、４つ）のワッシャ片１０により構成される。ワッシャ１は、４つのワッシャ片１０がそれぞれ接続され、全体として円環状に形成される。本実施形態において、４つのワッシャ片１０は、互いに同一形状に形成される。
【００２７】
なお、以下では説明の便宜上、ワッシャ１の周方向を単に「周方向」（円弧方向）、ワッシャ１の径方向を単に「径方向」とそれぞれ称する。また、４つのワッシャ片１０のうち、図１における右上部に配置されたワッシャ片１０を「第一ワッシャ片１１」、右下部に配置されたワッシャ片１０を「第二ワッシャ片１２」、左下部に配置されたワッシャ片１０を「第三ワッシャ片１３」、左上部に配置されたワッシャ片１０を「第四ワッシャ片１４」とそれぞれ称する。
【００２８】
また、これらのワッシャ片１０は、上述の如く互いに同一形状に形成されるため、以下では、主として第一ワッシャ片１１について詳細に説明し、その他のワッシャ片１０の詳細な説明は適宜省略するものとする。
【００２９】
第一ワッシャ片１１は、その板面を前後方向に向けた板状に形成される。第一ワッシャ片１１は、適宜の金属材料（例えば、表面に耐摩耗性等が高い金属を焼結させたバイメタル材や鉄系材料等）によって形成される。第一ワッシャ片１１は、主として本体部２０、第一嵌合部３０及び第二嵌合部４０を具備する。
【００３０】
図１から図３までに示す本体部２０は、第一ワッシャ片１１の主たる部分（両端部を除く部分）を形成する部分である。本体部２０は、正面視において、中心角が約９０度の円弧状に形成される。なお以下では、本体部２０の、周方向における上側の端部を「上側端部」、周方向における下側の端部を「下側端部」とそれぞれ称する。
【００３１】
図１から図３までに示す第一嵌合部３０は、本体部２０の上側端部から周方向（円弧方向）に凸となる部分である。第一嵌合部３０は、第一ワッシャ片１１の周方向左隣の第四ワッシャ片１４の第二嵌合部４０と嵌合される。第一嵌合部３０は、本体部２０の上側端部から周方向外側に延びるように形成される。第一嵌合部３０は、主として第一基端部３１及び第一先端部３２を具備する。
【００３２】
図２及び図３に示す第一基端部３１は、周方向に延びるように形成された第一嵌合部３０のうち、本体部２０側（右側）に配置された部分である。第一基端部３１は、正面視で僅かに丸みを帯びた略矩形状に形成される。第一基端部３１は、本体部２０の上側端部の径方向中央部から周方向外側へ突出するように形成される。
【００３３】
図２及び図３に示す第一先端部３２は、周方向に延びるように形成された第一嵌合部３０のうち、第四ワッシャ片１４側（左側）に配置された部分である。第一先端部３２は、正面視略真円状に形成される。第一先端部３２は、第一基端部３１を介して本体部２０の上側端部から周方向外側に離間した位置に配置される。第一先端部３２の径方向外側端部は、第一基端部３１の径方向外側端部よりも外側に位置するように形成される。また、第一先端部３２の径方向内側端部は、第一基端部３１の径方向内側端部よりも内側に位置するように形成される。こうして、第一先端部３２は、全体として第一基端部３１よりも径方向に幅広く形成される。
【００３４】
このように構成された第一基端部３１及び第一先端部３２により、第一嵌合部３０は、全体として正面視において丸みを帯びた形状（角が無い形状）に形成される。すなわち、後述するように、第一嵌合部３０は、素材Ｍからプレス加工により打ち抜き易い形状に形成される。
【００３５】
第一先端部３２には、油溜まり部３５及びかしめ部３６が形成される。
【００３６】
図２及び図３に示す油溜まり部３５は、第一先端部３２の前側面が後方（板厚方向）へ凹んだ部分である。油溜まり部３５は、ワッシャ１が前記軸部材と摺動される際、摺動面（ワッシャ１の前側面）に供給する潤滑油を溜めておくことができる。油溜まり部３５は、第一先端部３２と略同一形状（正面視真円状）であって、当該第一先端部３２よりも一回り小さく形成される。正面視において油溜まり部３５の中心点は、第一先端部３２の中心点と重複するように形成される。
【００３７】
図２及び図３に示すかしめ部３６は、第一先端部３２において、第四ワッシャ片１４の第二嵌合部４０の側面に押し込まれた部分（具体的には、第一先端部３２の側面）である。かしめ部３６により、互いに嵌合された状態の第一嵌合部３０と（第四ワッシャ片１４の）第二嵌合部４０とが固定され、ひいては第一ワッシャ片１１と第四ワッシャ片１４とが固定される。
なお、かしめ部３６の構成についての詳細な説明は後述する。
【００３８】
図１から図３までに示す第二嵌合部４０は、本体部２０の下側端部から周方向（円弧方向）に凹となる部分（切り欠いた部分）である。なお、説明の便宜上、図３においては、第一ワッシャ片１１の第二嵌合部４０ではなく、第四ワッシャ片１４の第二嵌合部４０を図示している。第二嵌合部４０は、第一嵌合部３０と正面視で略同一の外形を有する。第二嵌合部４０は、第一ワッシャ片１１の周方向下隣の第二ワッシャ片１２の第一嵌合部３０と嵌合される。第二嵌合部４０は、本体部２０の下側端部から周方向内側に延びるように形成される。第二嵌合部４０は、主として第二基端部４１及び第二先端部４２を具備する。
【００３９】
図２及び図３に示す第二基端部４１は、周方向に延びるように形成された第二嵌合部４０のうち、第二ワッシャ片１２側（下側）に配置された部分である。第二基端部４１は、正面視で僅かに丸みを帯びた略矩形状に形成される。第二基端部４１は、本体部２０の下側端部の径方向中央部から周方向内側へ凹む（切り欠いた）ように形成される。
【００４０】
図２及び図３に示す第二先端部４２は、周方向に延びるように形成された第二嵌合部４０のうち、本体部２０側（上側）に配置された部分である。第二先端部４２は、正面視略真円状に形成される。第二先端部４２は、第二基端部４１を介して本体部２０の下側端部から周方向内側に離間した位置に配置される。第二先端部４２の径方向外側端部は、第二基端部４１の径方向外側端部よりも外側に位置するように形成される。また、第二先端部４２の径方向内側端部は、第二基端部４１の径方向内側端部よりも内側に位置するように形成される。こうして、第二先端部４２は、全体として第二基端部４１よりも径方向に幅広く形成される。
【００４１】
上述の如き構成により、第一嵌合部３０及び第二嵌合部４０は、互いにジグソーパズル状に形成される。具体的には、図３（ａ）に示すように、第二嵌合部４０の第二基端部４１の内側に、第一嵌合部３０の第一基端部３１がほとんど隙間なく配置される。また、第二嵌合部４０の第二先端部４２の内側に、第一嵌合部３０の第一先端部３２がほとんど隙間なく配置される。こうして、第一嵌合部３０及び第二嵌合部４０は、互いにかみ合った状態で嵌合される。換言すると、第一嵌合部３０及び第二嵌合部４０は、当該第二嵌合部４０の内側に第一嵌合部３０が配置されると、（仮にかしめ部３６が無くとも）周方向への互いの近接離間が規制された状態で嵌合される。
【００４２】
なお、上記においては、４つのワッシャ片１０のうち、第一ワッシャ片１１について説明したが、他の３つのワッシャ片１０（第二ワッシャ片１２、第三ワッシャ片１３及び第四ワッシャ片１４）も同様に構成される。そして、４つのワッシャ片１０は、それぞれ周方向に隣り合うワッシャ片１０と第一嵌合部３０及び第二嵌合部４０により互いに固定され、１つのワッシャとして構成される。
【００４３】
以下では、図４から図９までを用いて、上述の如く構成されるワッシャ１の製造方法について説明する。
【００４４】
図４に示すように、ワッシャ１の製造方法は、主として準備工程Ｓ１、抜き取り工程Ｓ２、嵌合工程Ｓ３、かしめ工程Ｓ４を具備する。
【００４５】
準備工程Ｓ１は、素材Ｍを準備する工程である。図５に示すように、素材Ｍは、矩形板状の部材である。素材Ｍは、適宜の材料（例えば、単一種類の材料により形成された鋼板や、複数種類の材料により形成されたバイメタル等）により形成される。素材Ｍは、長手方向を上下方向に向けた状態で配置される。
準備工程Ｓ１が行われた後、抜き取り工程Ｓ２が行われる。
【００４６】
抜き取り工程Ｓ２は、準備工程Ｓ１において準備された素材Ｍから、ワッシャ片１０を抜き取る工程である。抜き取り工程Ｓ２では、ワッシャ片１０の形状に形成された所定の金型を用いて、素材Ｍのうち、ワッシャ片１０の形状に対応した部分が抜き取られる（プレス加工により打ち抜かれる）。これによって、図５（ａ）に示すように、素材Ｍから１つのワッシャ片１０を得ることができる。また、抜き取り工程Ｓ２においては、図５（ｂ）に示すように、素材Ｍの長手方向に沿うように、複数のワッシャ片１０が打ち抜かれる。これによって、素材Ｍから複数のワッシャ片１０を得ることができる。
抜き取り工程Ｓ２が行われた後、嵌合工程Ｓ３が行われる。
【００４７】
嵌合工程Ｓ３は、抜き取り工程Ｓ２において抜き取られた複数のワッシャ片１０をそれぞれ嵌合させる工程である。なお、本実施形態においては、１つのワッシャ１を形成するために、上述の如く４つのワッシャ片１０がそれぞれ嵌合される。
【００４８】
具体的には、一つのワッシャ片１０の第一嵌合部３０に、周方向一側（正面視で反時計回り方向）に隣り合うワッシャ片１０の第二嵌合部４０が嵌合される。また、前記一つのワッシャ片１０の第二嵌合部４０に、周方向他側（正面視で時計回り方向）に隣り合うワッシャ片１０の第一嵌合部３０が嵌合される。こうして、４つのワッシャ片１０がそれぞれ嵌合されると、円環状の部材が形成される。
【００４９】
なお、第一嵌合部３０と第二嵌合部４０とが嵌合される場合、まず図６（ａ）に示すように、当該第一嵌合部３０と第二嵌合部４０とが前後方向に互いに対向するように配置される。その後、図６（ａ）及び（ｂ）に示すように、第一嵌合部３０及び第二嵌合部４０が互いに近接する方向に移動し、当該第二嵌合部４０の内側に当該第一嵌合部３０が入り込む。こうして、第一嵌合部３０と第二嵌合部４０とが、互いに嵌合される。
嵌合工程Ｓ３が行われた後、かしめ工程Ｓ４が行われる。
【００５０】
かしめ工程Ｓ４は、第一嵌合部３０（より詳細には、第一嵌合部３０の第一先端部３２の側面）に、かしめ部３６を形成する工程である。かしめ工程Ｓ４では、図７及び図８に示すように、かしめ装置５０を用いて、プレス加工が行われる。なお、図７及び図８は、かしめ工程でかしめ部３６が形成される様子を示した模式図である。図７及び図８において、ワッシャ片１０は、板面を上下方向へ向けて配置されるものとする。
【００５１】
かしめ装置５０は、図７及び図８に示すように、一対の金型である上型５１及び下型５２を具備する。上型５１と下型５２との間には、ワッシャ片１０（互いに嵌合された第一嵌合部３０及び第二嵌合部４０）が配置される。上型５１には、ポンチ５３が設けられる。ポンチ５３は、昇降可能に構成され、第一嵌合部３０の第一先端部３２を上方から下方へと押圧するものである。ポンチ５３は、軸心方向を上下方向へ向けた略円柱状に形成される。ポンチ５３の下側面（押圧面）は、第一嵌合部３０の第一先端部３２と略同一形状（真円状）であって、当該第一先端部３２よりも一回り小さく形成される。
【００５２】
かしめ工程Ｓ４では、まず図７（ａ）に示すように、ポンチ５３の下方に（第二嵌合部４０と嵌合された状態の）第一嵌合部３０の第一先端部３２が配置される。第一嵌合部３０の第一先端部３２は、当該第一先端部３２の中心点がポンチ５３の下側面の中心点と上下方向に重複するように配置される。次に、図７（ｂ）に示すように、ポンチ５３が下降される。
【００５３】
こうして、ポンチ５３が下降されると、当該ポンチ５３の下側面が第一先端部３２の上側面と当接すると共に、当該上側面を下方へ向けて押し込む。第一先端部３２の上側面が押し込まれると、図７（ｂ）及び図９に示すように、第一先端部３２はポンチ５３から押し込まれた分だけ、外方へ向けて押し拡げられる。こうして、第一先端部３２が外方へ向けて押し拡げられると、第一先端部３２の側面が第二先端部４２の側面に押し込まれ、当該第一先端部３２と第二先端部４２とが互いに固定される。このように、ポンチ５３により第一先端部３２が押し拡げられることにより、第一先端部３２の側面にかしめ部３６が形成される。
【００５４】
かしめ部３６が形成された後（ポンチ５３の下降が終了した後）、図８に示すように、ポンチ５３が上昇される。ポンチ５３が上昇すると、第一先端部３２の上側面には下方へ凹んだ凹部（すなわち、油溜まり部３５）が形成される。このように、かしめ装置５０においては、ポンチ５３の昇降という一つの動作を行うことにより、第一先端部３２にかしめ部３６及び油溜まり部３５を同時に形成することができる。
【００５５】
以下では、図３、図７から図９までを用いて、上述の如き方法により形成されたかしめ部３６の構成（特徴）について詳細に説明する。
【００５６】
上述の如く、かしめ部３６は、第一先端部３２の側面に形成されるため、ワッシャ１の摺動面（図１に示すワッシャ１の前側面）上に飛び出したりしていない。これにより、ワッシャ１は、前記軸部材を円滑に摺動させることができる。
【００５７】
なお、かしめ工程Ｓ４において、かしめ部３６は、上述の如くかしめ装置５０を用いて形成される。ここで、かしめ装置５０においては、第一先端部３２にポンチ５３が押圧される際、ワッシャ片１０は上型５１と下型５２との間に配置される。すなわち、かしめ部３６を形成するために第一先端部３２が押し拡げられた場合であっても、当該第一先端部３２の一部分が、図７及び図８に示す当該第一先端部３２の上側面より上方へ飛び出たり、下側面よりも下方へ飛び出たりするのが抑制されている。このように、かしめ部３６が形成された場合、かしめ工程Ｓ４が終了した後、ワッシャ１の摺動面に対する研磨加工等の手間を極力省略することができる。
【００５８】
なお、図９は、かしめ工程Ｓ４で第一先端部３２にポンチ５３が押圧される様子を示した模式図である。図９において、第一先端部３２に記載した斜線部分は、ポンチ５３の下側面、すなわちポンチ５３において第一先端部３２の上側面と当接している部分を示している。ここで、ポンチ５３の下側面（押圧面）は、上述の如く、第一嵌合部３０の第一先端部３２と略同一形状（真円状）であって、当該第一先端部３２よりも一回り小さく形成される。また、ポンチ５３が第一先端部３２を押圧する際、当該第一先端部３２の中心点がポンチ５３の下側面の中心点と上下方向に重複するように配置される。
【００５９】
このような構成によって、第一先端部３２にポンチ５３が押圧された場合、図９に示すように、当該第一先端部３２は、第二先端部４２側へ向けて四方に満遍なく（バランスよく）押し拡げられる。こうして、第一先端部３２においては、かしめ部３６が四方へ向けてバランスよく第二先端部４２を押し込まれて形成されるため、当該第一先端部３２と第二先端部４２とを（ひいては、第一嵌合部３０と第二嵌合部４０とを）強固に固定することができる。
【００６０】
なお、また、本体部２０の上側端部は径方向中央部が周方向内側に凹んでいるため、径方向外側及び内側に比較的広がり易い構成となっているが、本実施形態においては、上述の如く、第二先端部４２が、第二基端部４１を介して本体部２０の下側端部から周方向内側に離間した位置に配置される。このような構成により、、当該第二先端部４２と嵌合された第一先端部３２にポンチ５３が押圧された際に、本体部２０の上側端部が径方向外側及び内側に広がるのを防止することができる。
【００６１】
また、第一先端部３２にポンチ５３が押圧された場合、図９に示すように、当該第一先端部３２は、第二先端部４２側へ向けて四方に満遍なく（バランスよく）押し拡げられることにより、かしめ部３６は、第一先端部３２の側面全体に亘って形成される（図３（ａ）等参照）。こうして、かしめ部３６は、第一先端部３２の側面全体を覆った円筒状となるように形成される。これにより、第一先端部３２においては、例えば第一先端部３２の側面の一部だけに形成されたような場合と比べて、当該第一先端部３２と第二先端部４２とを（ひいては、第一嵌合部３０と第二嵌合部４０とを）強固に固定することができる。
【００６２】
以上のように、本発明の第一実施形態に係るワッシャ１においては、
円弧状に形成されると共に、一端部から円弧方向に凸となる第一嵌合部３０（第一の嵌合部）が形成された第一ワッシャ片１１（第一の部材）と、
円弧状に形成されると共に、一端部から前記円弧方向に凹となり、前記第一嵌合部３０（第一の嵌合部）と嵌合される第二嵌合部４０（第二の嵌合部）が形成された第四ワッシャ片１４（第二の部材）と、を具備し、
前記第一嵌合部３０（第一の嵌合部）及び前記第二嵌合部４０（第二の嵌合部）は、前記円弧方向への互いの近接離間が規制された状態に嵌合され、
前記第一嵌合部３０（第一の嵌合部）及び前記第二嵌合部４０（第二の嵌合部）のうち一方の嵌合部は、当該一方の嵌合部の側面が他方の嵌合部の側面に押し込まれた状態に形成されたかしめ部３６（固定部）を具備し、当該かしめ部３６（固定部）によって当該他方の嵌合部と固定されるものである。
【００６３】
このような構成により、素材Ｍから、隣り合うワッシャ片１０の間を比較的小さくして複数のワッシャ片１０を得ることができる。そして、複数のワッシャ片１０においてそれぞれの第一嵌合部３０及び第二嵌合部４０を嵌合させると共に、かしめ部３６で固定することにより１つのワッシャ１を得ることができる。こうして、素材Ｍから得られるワッシャ１の個数を増やすことができ、材料歩留まりを向上させることができる。
【００６４】
また、かしめ部３６は、第一先端部３２の側面に形成されるため、ワッシャ１の摺動面（図１に示すワッシャ１の前側面）上に飛び出したりしていない。これにより、ワッシャ１は、前記軸部材を円滑に摺動させることができる。
【００６５】
また、ワッシャ１においては、
前記第一嵌合部３０（第一の嵌合部）は、
前記第一ワッシャ片１１（第一の部材）の一端部から第一基端部３１を介して配置された第一先端部３２を有し、
前記かしめ部３６は、前記第一先端部３２の側面全体に亘って形成されたものである。
【００６６】
また、ワッシャ１においては、
前記第一嵌合部３０（第一の嵌合部）の前記第一先端部３２は、円形状に形成されたものである。
【００６７】
このような構成により、第一嵌合部３０と第二嵌合部４０とを強固に固定し、ひいては複数のワッシャ片１０同士（例えば第一ワッシャ片１１と第四ワッシャ片１４と）を強固に固定することができる。
【００６８】
また、ワッシャ１においては、
前記第一嵌合部３０（第一の嵌合部）の前記第一先端部３２には、内側に凹んだ油溜まり部３５が形成されたものである。
【００６９】
このような構成により、ワッシャ１が前記軸部材と摺動される際、摺動面（ワッシャ１の前側面）に供給する潤滑油を溜めておくことができる。
【００７０】
また、以上のように、本発明の一実施形態に係るワッシャ１の製造方法においては、
板状の素材Ｍを準備する準備工程Ｓ１と、
前記素材Ｍから、円弧状に形成されると共に一端部から円弧方向に凸となる第一嵌合部３０（第一の嵌合部）が形成された第一ワッシャ片１１（第一の部材）と、円弧状に形成されると共に一端部から前記円弧方向に凹となる第二嵌合部４０（第二の嵌合部）が形成された第四ワッシャ片１４（第二の部材）と、を抜き取る抜き取り工程と、
前記第一ワッシャ片１１（第一の部材）の前記第一嵌合部３０（第一の嵌合部）と前記第四ワッシャ片１４（第二の部材）の前記第二嵌合部４０（第二の嵌合部）とを嵌合させる嵌合工程と、
前記第一嵌合部３０（第一の嵌合部）及び前記第二嵌合部４０（第二の嵌合部）のうち一方の嵌合部の側面を、他方の嵌合部の側面に押し込んでかしめ部３６を形成するかしめ工程Ｓ４と、
を具備するものである。
【００７１】
このような構成により、素材Ｍから、隣り合うワッシャ片１０の間を比較的小さくして複数のワッシャ片１０を得ることができる。そして、複数のワッシャ片１０においてそれぞれの第一嵌合部３０及び第二嵌合部４０を嵌合させると共に、かしめ部３６で固定することにより１つのワッシャ１を得ることができる。こうして、素材Ｍから得られるワッシャ１の個数を増やすことができ、材料歩留まりを向上させることができる。
【００７２】
また、ワッシャ１の製造方法においては、
前記第一嵌合部３０（第一の嵌合部）は、
前記第一ワッシャ片１１（第一の部材）の一端部から第一基端部３１を介して配置された第一先端部３２を有し、
前記かしめ工程Ｓ４において、
前記かしめ部３６を、前記第一嵌合部３０（第一の嵌合部）の前記第一先端部３２に形成するものである。
【００７３】
このような構成により、第一嵌合部３０と第二嵌合部４０とを強固に固定し、ひいては複数のワッシャ片１０同士（例えば第一ワッシャ片１１と第四ワッシャ片１４と）を強固に固定することができる。
【００７４】
また、ワッシャ１の製造方法においては、
前記かしめ工程Ｓ４において、
前記第一嵌合部３０（第一の嵌合部）の前記第一先端部３２がプレスされることにより、前記かしめ部３６と共に内側に凹んだ油溜まり部３５を形成するものである。
【００７５】
このような構成により、ワッシャ１が前記軸部材と摺動される際、摺動面（ワッシャ１の前側面）に供給する潤滑油を溜めておくことができる。
また、ポンチ５３の昇降という一つの動作を行うことにより、第一先端部３２にかしめ部３６及び油溜まり部３５を同時に形成することができるため、かしめ部３６及び油溜まり部３５を簡易に形成することができる。
【００７６】
なお、第一ワッシャ片１１は、第一の部材の実施の一形態である。
また、第四ワッシャ片１４は、第二の部材の実施の一形態である。
また、かしめ部３６は、固定部の実施の一形態である。
【００７７】
以上、本発明の実施形態を説明したが、本発明は上記構成に限定されるものではなく、特許請求の範囲に記載された発明の範囲内で種々の変更が可能である。
【００７８】
例えば、ワッシャ１はスラスト方向の荷重を受ける用途（スラストワッシャ）に限らず、任意の用途に使用することができる。
【００７９】
また、ワッシャ１は円環状のものに限らず、半円状（中心角が１８０度の円弧状）に形成されるものや、その他の円弧状（例えば、中心角が９０度の円弧状、中心角が６０度の円弧状等）に形成されるものであっても良い。
【００８０】
また、ワッシャ片１０は中心角が９０度の円弧状のものに限らず、半円状（中心角が１８０度の円弧状）に形成されるものや、その他の円弧状（例えば、中心角が６０度の円弧状等）に形成されるものであっても良い。
【００８１】
また、かしめ部３６は、第一嵌合部３０の第一先端部３２の側面に形成されるものに限定されず、第二嵌合部４０の第二先端部４２の側面に形成されるものであってもよい。また、かしめ部３６は、第一嵌合部３０の第一先端部３２の側面及び第二嵌合部４０の第二先端部４２の側面の両方に形成されるものであってもよい。
【００８２】
また、本実施形態において、かしめ部３６は、ポンチ５３により第一先端部３２が押し拡げられることにより形成されたものであったが、これに限定するものではない。すなわち、かしめ部３６は、第一嵌合部３０の側面が第二嵌合部４０の側面に押し込まれた状態に形成することができる種々の方法を採用して形成することができる。
【００８３】
また、素材Ｍからワッシャ片１０を抜き取る方法は、プレス加工に限定するものではなく、例えばレーザ切断装置を用いるものであってもよい。このように、レーザ切断装置を用いることにより、第一嵌合部３０及び第二嵌合部４０の形状の設計自由度を向上させることができる。
【００８４】
以下では、図１０及び図１１を用いて、別実施形態に係るワッシャの構成について説明する。
【００８５】
図１０（ａ）は、第二実施形態に係るワッシャ２の構成の一部を示した正面図である。図１０（ａ）に示すように、ワッシャ２においては、第一嵌合部３０のうち、第一基端部３１が略矩形状に形成されると共に、第一先端部３２が略四角形状に形成される。また、第二嵌合部４０のうち、第二基端部４１が略矩形状に形成されると共に、第二先端部４２が略四角形状に形成される。このように、第一嵌合部及び第二嵌合部は、丸みを帯びた形状に限定されず、角を有する形状であってもよい。
【００８６】
図１０（ｂ）は、第三実施形態に係るワッシャ３の構成の一部を示した正面図である。図１０（ｂ）に示すように、ワッシャ３においては、ワッシャ片１０のそれぞれの端部に第一嵌合部３０及び第二嵌合部４０の両方が形成される。このような構成により、複数のワッシャ片１０同士をより強固に固定することができる。
【００８７】
図１１は、第四実施形態に係るワッシャ４の構成を示した正面図である。図１１に示すように、ワッシャ４においては、４つのワッシャ片１０のうち、第一ワッシャ片１１及び第三ワッシャ片１３だけに第二嵌合部４０が形成される。また、４つのワッシャ片１０のうち、第二ワッシャ片１２及び第四ワッシャ片１４だけに第一嵌合部３０が形成される。このように、ワッシャ４においては、２種類のワッシャ片１０を用いて、当該１つのワッシャを形成することができる。
【符号の説明】
【００８８】
１        ワッシャ
１０      ワッシャ片
１１      第一ワッシャ片
１２      第二ワッシャ片
１３      第三ワッシャ片
１４      第四ワッシャ片
３０      第一嵌合部
３１      第一基端部
３２      第一先端部
３６      かしめ部
４０      第二嵌合部
４１      第二基端部
４２      第二先端部
【図１】
2018105423.tif 000003
【図２】
2018105423.tif 000004
【図３】
2018105423.tif 000005
【図４】
2018105423.tif 000006
【図５】
2018105423.tif 000007
【図６】
2018105423.tif 000008
【図７】
2018105423.tif 000009
【図８】
2018105423.tif 000010
【図９】
2018105423.tif 000011
【図１０】
2018105423.tif 000012
【図１１】
2018105423.tif 000013
【図１２】
2018105423.tif 000014